【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
無線通信システムにおける基地局において、
加入者局にＤＣＩ（ｄｏｗｎｌｉｎｋ  ｃｏｎｔｒｏｌ  ｉｎｆｏｒｍａｔｉｏｎ）フォーマット（ｆｏｒｍａｔ）内のアップリンク認可（ｕｐｌｉｎｋ  ｇｒａｎｔ）を送信する送信経路回路と、
アップリンク認可が予め定義された値として設定された項目を含む場合、ＰＵＳＣＨ（ｐｈｙｓｉｃａｌ  ｕｐｌｉｎｋ  ｓｈａｒｅｄ  ｃｈａｎｎｅｌ）で前記加入者局からＵＣＩ（ｕｐｌｉｎｋ  ｃｏｎｔｒｏｌ  ｉｎｆｏｒｍａｔｉｏｎ）のみを受信する受信経路回路と、を含み、
前記予め定義された値として設定された項目は、２９の値を有する使用可能な（ｅｎａｂｌｅｄ）伝送ブロック（ｔｒａｎｓｐｏｒｔ  ｂｌｏｃｋ）のＭＣＳ（ｍｏｄｕｌａｔｉｏｎ  ａｎｄ  ｃｏｄｉｎｇ  ｓｃｈｅｍｅ）、非周期的ＣＳＩ（ｃｈａｎｎｅｌ  ｓｔａｔｅ  ｉｎｆｏｒｍａｔｉｏｎ）報告をトリガリング（ｔｒｉｇｇｅｒｉｎｇ）するように設定されたＣＳＩ要請フィールド（ｒｅｑｕｅｓｔ  ｆｉｅｌｄ）、第１臨界値以下の値を有する加入者局のために割り当てられた総物理資源ブロックの個数（ＮPRB：Ｎｕｍｂｅｒ  ｏｆ  Ｐｈｙｓｉｃａｌ  Ｒｅｓｏｕｒｃｅ  Ｂｌｏｃｋｓ）ＮPRBを含み、
前記第１臨界値は、前記非周期的ＣＳＩ報告によって報告されるダウンリンクＣＣ（Ｃｏｍｐｏｎｅｎｔ  Ｃａｒｒｉｅｒｓ）の個数に基づいて決定されることを特徴とする基地局。
【請求項２】
前記ＣＳＩ要請フィールドは、０ではない値に設定されることを特徴とする請求項１に記載の基地局。
【請求項３】
前記ＣＳＩ要請フィールドは、１ビット又は２ビットを含むことを特徴とする請求項１に記載の基地局。
【請求項４】
前記第１臨界値は、前記非周期的ＣＳＩ報告によって報告されるダウンリンクＣＣの個数が第２臨界値以上であるのか否かに基づいて決定されることを特徴とする請求項１に記載の基地局。
【請求項５】
前記第２臨界値は２であり、
前記第１臨界値は４及び２０のうち一つであることを特徴とする請求項４に記載の基地局。
【請求項６】
前記非周期的ＣＳＩ報告によって報告されるダウンリンクＣＣの個数ＮCCsが２より大きいか同じであると前記第１臨界値は４であり、
前記ＮCCsが２より小さいと前記第１臨界値は２０であることを特徴とする請求項５に記載の基地局。
【請求項７】
前記ＤＣＩフォーマットは、ＤＣＩフォーマット−０であることを特徴とする請求項１に記載の基地局。
【請求項８】
前記ＤＣＩフォーマットはＤＣＩフォーマット−４であり、
前記受信経路回路は、前記アップリンク認可が１の値を有するＵＣＩ情報の送信ランク（ｔｒａｎｓｍｉｓｓｉｏｎ  ｒａｎｋ）を更に含むと、前記ＰＵＳＣＨで前記加入者局からＵＣＩのみを受信することを特徴とする請求項１に記載の基地局。
【請求項９】
基地局の動作方法において、
加入者局にＤＣＩ（ｄｏｗｎｌｉｎｋ  ｃｏｎｔｒｏｌ  ｉｎｆｏｒｍａｔｉｏｎ）フォーマット（ｆｏｒｍａｔ）内のアップリンク認可（ｕｐｌｉｎｋ  ｇｒａｎｔ）を送信する過程と、
アップリンク認可が予め定義された値として設定された項目を含む場合、ＰＵＳＣＨ（ｐｈｙｓｉｃａｌ  ｕｐｌｉｎｋ  ｓｈａｒｅｄ  ｃｈａｎｎｅｌ）で前記加入者局からＵＣＩ（ｕｐｌｉｎｋ  ｃｏｎｔｒｏｌ  ｉｎｆｏｒｍａｔｉｏｎ）のみを受信する過程と、を含み、
前記予め定義された値として設定された項目は、２９の値を有する使用可能な（ｅｎａｂｌｅｄ）伝送ブロック（ｔｒａｎｓｐｏｒｔ  ｂｌｏｃｋ）のＭＣＳ（ｍｏｄｕｌａｔｉｏｎ  ａｎｄ  ｃｏｄｉｎｇ  ｓｃｈｅｍｅ）、非周期的ＣＳＩ（ｃｈａｎｎｅｌ  ｓｔａｔｅ  ｉｎｆｏｒｍａｔｉｏｎ）報告をトリガリング（ｔｒｉｇｇｅｒｉｎｇ）するように設定されたＣＳＩ要請フィールド（ｒｅｑｕｅｓｔ  ｆｉｅｌｄ）、第１臨界値以下の値を有する加入者局のために割り当てられた総物理資源ブロックの個数（ＮPRB：Ｎｕｍｂｅｒ  ｏｆ  Ｐｈｙｓｉｃａｌ  Ｒｅｓｏｕｒｃｅ  Ｂｌｏｃｋｓ）ＮPRBを含み、
前記第１臨界値は、前記非周期的ＣＳＩ報告によって報告されるダウンリンクＣＣ（Ｃｏｍｐｏｎｅｎｔ  Ｃａｒｒｉｅｒｓ）の個数に基づいて決定されることを特徴とする方法。
【請求項１０】
前記ＣＳＩ要請フィールドは、０ではない値に設定されることを特徴とする請求項９に記載の方法。
【請求項１１】
前記ＣＳＩ要請フィールドは、１ビット又は２ビットを含むことを特徴とする請求項９に記載の方法。
【請求項１２】
前記第１臨界値は、前記非周期的ＣＳＩ報告によって報告されるダウンリンクＣＣの個数が第２臨界値以上であるのか否かに基づいて決定されることを特徴とする請求項９に記載の方法。
【請求項１３】
前記第２臨界値は２であり、
前記第１臨界値は４及び２０のうち一つであることを特徴とする請求項１２に記載の方法。
【請求項１４】
前記非周期的ＣＳＩ報告によって報告されるダウンリンクＣＣの個数ＮCCsが２より大きいか同じであると前記第１臨界値は４であり、
前記ＮCCsが２より小さいと前記第１臨界値は２０であることを特徴とする請求項１３に記載の方法。
【請求項１５】
前記ＤＣＩフォーマットは、ＤＣＩフォーマット−０であることを特徴とする請求項９に記載の方法。
【請求項１６】
前記ＤＣＩフォーマットはＤＣＩフォーマット−４であり、
前記ＰＵＳＣＨで前記加入者局からＵＣＩのみを受信すると、前記アップリンク認可が１の値を有するＵＣＩ情報の送信ランク（ｔｒａｎｓｍｉｓｓｉｏｎ  ｒａｎｋ）を更に含むことを特徴とする請求項９に記載の方法。
【請求項１７】
加入者局において、
基地局からＤＣＩ（ｄｏｗｎｌｉｎｋ  ｃｏｎｔｒｏｌ  ｉｎｆｏｒｍａｔｉｏｎ）フォーマット（ｆｏｒｍａｔ）内のアップリンク認可（ｕｐｌｉｎｋ  ｇｒａｎｔ）を受信する受信経路回路と、
アップリンク認可が予め定義された値として設定された項目を含む場合、ＰＵＳＣＨ（ｐｈｙｓｉｃａｌ  ｕｐｌｉｎｋ  ｓｈａｒｅｄ  ｃｈａｎｎｅｌ）から前記基地局にＵＣＩ（ｕｐｌｉｎｋ  ｃｏｎｔｒｏｌ  ｉｎｆｏｒｍａｔｉｏｎ）のみを送信する送信経路回路と、を含み、
前記予め定義された値として設定された項目は、２９の値を有する使用可能な（ｅｎａｂｌｅｄ）伝送ブロック（ｔｒａｎｓｐｏｒｔ  ｂｌｏｃｋ）のＭＣＳ（ｍｏｄｕｌａｔｉｏｎ  ａｎｄ  ｃｏｄｉｎｇ  ｓｃｈｅｍｅ）、非周期的ＣＳＩ（ｃｈａｎｎｅｌ  ｓｔａｔｅ  ｉｎｆｏｒｍａｔｉｏｎ）報告をトリガリング（ｔｒｉｇｇｅｒｉｎｇ）するように設定されたＣＳＩ要請フィールド（ｒｅｑｕｅｓｔ  ｆｉｅｌｄ）、第１臨界値以下の値を有する加入者局のために割り当てられた総物理資源ブロックの個数（ＮPRB：Ｎｕｍｂｅｒ  ｏｆ  Ｐｈｙｓｉｃａｌ  Ｒｅｓｏｕｒｃｅ  Ｂｌｏｃｋｓ）ＮPRBを含み、
前記第１臨界値は、前記非周期的ＣＳＩ報告によって報告されるダウンリンクＣＣ（Ｃｏｍｐｏｎｅｎｔ  Ｃａｒｒｉｅｒｓ）の個数に基づいて決定されることを特徴とする加入者局。
【請求項１８】
前記ＣＳＩ要請フィールドは、０ではない値に設定されることを特徴とする請求項１７に記載の加入者局。
【請求項１９】
前記ＣＳＩ要請フィールドは、１ビット又は２ビットを含むことを特徴とする請求項１７に記載の加入者局。
【請求項２０】
前記第１臨界値は、前記非周期的ＣＳＩ報告によって報告されるダウンリンクＣＣの個数が第２臨界値以上であるのか否かに基づいて決定されることを特徴とする請求項１７に記載の加入者局。
【請求項２１】
前記第２臨界値は２であり、
前記第１臨界値は４及び２０のうち一つであることを特徴とする請求項２０に記載の加入者局。
【請求項２２】
前記非周期的ＣＳＩ報告によって報告されるダウンリンクＣＣの個数ＮCCsが２より大きいか同じであると前記第１臨界値は４であり、
前記ＮCCsが２より小さいと前記第１臨界値は２０であることを特徴とする請求項２１に記載の加入者局。
【請求項２３】
前記ＤＣＩフォーマットは、ＤＣＩフォーマット−０であることを特徴とする請求項１７に記載の加入者局。
【請求項２４】
前記ＤＣＩフォーマットはＤＣＩフォーマット−４であり、
前記送信経路回路は、前記アップリンク認可が１の値を有するＵＣＩ情報の送信ランク（ｔｒａｎｓｍｉｓｓｉｏｎ  ｒａｎｋ）を更に含むと、前記ＰＵＳＣＨで前記基地局にＵＣＩのみを送信することを特徴とする請求項１７に記載の加入者局。
【請求項２５】
無線通信システムにおける加入者局の動作方法において、
基地局からＤＣＩ（ｄｏｗｎｌｉｎｋ  ｃｏｎｔｒｏｌ  ｉｎｆｏｒｍａｔｉｏｎ）フォーマット（ｆｏｒｍａｔ）内のアップリンク認可（ｕｐｌｉｎｋ  ｇｒａｎｔ）を受信する過程と、
アップリンク認可が予め定義された値として設定された項目を含む場合、ＰＵＳＣＨ（ｐｈｙｓｉｃａｌ  ｕｐｌｉｎｋ  ｓｈａｒｅｄ  ｃｈａｎｎｅｌ）で前記基地局にＵＣＩ（ｕｐｌｉｎｋ  ｃｏｎｔｒｏｌ  ｉｎｆｏｒｍａｔｉｏｎ）のみを送信する過程を含み、
前記予め定義された値として設定された項目は、２９の値を有する使用可能な（ｅｎａｂｌｅｄ）伝送ブロック（ｔｒａｎｓｐｏｒｔ  ｂｌｏｃｋ）のＭＣＳ（ｍｏｄｕｌａｔｉｏｎ  ａｎｄ  ｃｏｄｉｎｇ  ｓｃｈｅｍｅ）、非周期的ＣＳＩ（ｃｈａｎｎｅｌ  ｓｔａｔｅ  ｉｎｆｏｒｍａｔｉｏｎ）報告をトリガリング（ｔｒｉｇｇｅｒｉｎｇ）するように設定されたＣＳＩ要請フィールド（ｒｅｑｕｅｓｔ  ｆｉｅｌｄ）、第１臨界値以下の値を有する加入者局のために割り当てられた総物理資源ブロックの個数（ＮPRB：Ｎｕｍｂｅｒ  ｏｆ  Ｐｈｙｓｉｃａｌ  Ｒｅｓｏｕｒｃｅ  Ｂｌｏｃｋｓ）ＮPRBを含み、
前記第１臨界値は、前記非周期的ＣＳＩ報告によって報告されるダウンリンクＣＣ（Ｃｏｍｐｏｎｅｎｔ  Ｃａｒｒｉｅｒｓ）の個数に基づいて決定されることを特徴とする方法。
【請求項２６】
前記ＣＳＩ要請フィールドは、０ではない値に設定されることを特徴とする請求項２５に記載の方法。
【請求項２７】
前記ＣＳＩ要請フィールドは、１ビット又は２ビットを含むことを特徴とする請求項２５に記載の方法。
【請求項２８】
前記第１臨界値は、前記非周期的ＣＳＩ報告によって報告されるダウンリンクＣＣの個数が第２臨界値以上であるのか否かに基づいて決定されることを特徴とする請求項２５に記載の方法。
【請求項２９】
前記第２臨界値は２であり、
前記第１臨界値は４及び２０のうち一つであることを特徴とする請求項２８に記載の方法。
【請求項３０】
前記非周期的ＣＳＩ報告によって報告されるダウンリンクＣＣの個数ＮCCsが２より大きいか同じであると前記第１臨界値は４であり、
前記ＮCCsが２より小さいと前記第１臨界値は２０であることを特徴とする請求項２９に記載の方法。
【請求項３１】
前記ＤＣＩフォーマットは、ＤＣＩフォーマット−０であることを特徴とする請求項２５に記載の方法。
【請求項３２】
前記ＤＣＩフォーマットはＤＣＩフォーマット−４であり、
前記ＰＵＳＣＨで前記基地局にＵＣＩのみを送信すると、前記アップリンク認可が１の値を有するＵＣＩ情報の送信ランク（ｔｒａｎｓｍｉｓｓｉｏｎ  ｒａｎｋ）を更に含むことを特徴とする請求項２５に記載の方法。